(57)【要約】      （修正有）【課題】回路基板を取付板にかしめ固定する際に、回路基板に反りを生じる。【解決手段】モータユニット１１は、モータ部１１１と、モータ部が取り付けられる取付板１１２と、取付板上に固定される回路基板１１３と、を備え、回路基板が、孔部を有し、取付板が、板部と、板部から上方へと突出して孔部に挿入されるかしめ部４と、を備え、かしめ部が、板部から上方へと突出する筒状部の上部を径方向外方へと押し広げたものであり、孔部のエッジが、上部により下方へと押圧される接触部と、上部と非接触である非接触部５１３と、を有する。【選択図】図２
2012023796.tif 000002
【特許請求の範囲】
【請求項１】
モータ部と、
前記モータ部が取り付けられる取付板と、
前記取付板上に固定される回路基板と、
を備え、
前記回路基板が、孔部を有し、
前記取付板が、板部と、前記板部から上方へと突出して前記孔部に挿入されるかしめ部と、を備え、
前記かしめ部が、前記板部から上方へと突出する筒状部の上部を径方向外方へと押し広げたものであり、
前記孔部のエッジが、前記上部により下方へと押圧される接触部と、前記上部と非接触である非接触部と、を有する、モータユニット。
【請求項２】
前記回路基板が、前記取付板から前記板部に平行な方向に突出する突出部を備え、
前記非接触部が前記かしめ部の前記突出部側に設けられる、請求項１に記載のモータユニット。
【請求項３】
前記孔部が、長孔部であり、
前記長孔部の長手方向における一方の端部に、前記接触部が設けられ、前記エッジの他の部位が前記非接触部である、請求項１または２に記載のモータユニット。
【請求項４】
前記取付板が、他のかしめ部をさらに備え、
前記回路基板が、前記他のかしめ部が挿入される他の孔部をさらに備え、
前記かしめ部から前記長孔部が延びる方向が、前記かしめ部から前記他のかしめ部へ向かう方向とは異なる、請求項３に記載のモータユニット。
【請求項５】
前記かしめ部および前記他のかしめ部により、前記回路基板が前記取付板に固定される、請求項４に記載のモータユニット。
【請求項６】
前記孔部が、長孔部であり、前記回路基板が、円形孔部をさらに備え、
前記取付板が、前記板部から上方へと突出して前記円形孔部に挿入される他のかしめ部、をさらに備え、
前記他のかしめ部が、前記板部から上方へと突出する筒状部の上部を径方向外方へと押し広げたものであり、
前記他のかしめ部が、前記円形孔部のエッジを全周に亘って下方へと押圧し、
前記かしめ部を通り、前記長孔部が延びる方向に垂直な直線から、前記円形孔部が離れて位置する、請求項３に記載のモータユニット。
【請求項７】
前記孔部が、第１長孔部であり、前記回路基板が、第２長孔部をさらに備え、
前記かしめ部が、第１かしめ部であり、前記取付板が、前記板部から上方へと突出して前記第２長孔部に挿入される第２かしめ部、をさらに備え、
前記第２かしめ部が、前記板部から上方へと突出する筒状部の上部を径方向外方へと押し広げたものであり、
前記第１長孔部と同様に、前記第２長孔部の一方の端部に前記接触部が設けられ、
前記第１かしめ部を通り、前記第１長孔部が延びる方向に垂直な第１直線と、前記第２かしめ部を通り、前記第２長孔部が延びる方向に垂直な第２直線とが交差し、交点を中心とする周方向において、前記第１かしめ部から前記第１長孔部が延びる方向と、前記第２かしめ部から前記第２長孔部が延びる方向とが逆向きである、または、
前記第１直線と前記第２直線とが平行かつ離間し、前記第１かしめ部から前記第１長孔部が延びる方向と、前記第２かしめ部から前記第２長孔部が延びる方向とが逆向きである、請求項３に記載のモータユニット。
【請求項８】
前記孔部が、第１長孔部であり、前記回路基板が、第２長孔部および第３長孔部、をさらに備え、
前記かしめ部が、第１かしめ部であり、前記取付板が、前記板部から上方へと突出して前記第２長孔部および前記第３長孔部にそれぞれに挿入される第２かしめ部および第３かしめ部、をさらに備え、
前記第２かしめ部および前記第３かしめ部が、前記板部から上方へと突出する筒状部の上部を径方向外方へと押し広げたものであり、
前記第１長孔部と同様に、前記第２長孔部および前記第３長孔部の一方の端部に前記接触部が設けられ、
前記第１かしめ部を通り、前記第１長孔部が延びる方向に垂直な第１直線と、前記第２かしめ部を通り、前記第２長孔部が延びる方向に垂直な第２直線とが交差し、交点を中心とする周方向において、前記第１かしめ部から前記第１長孔部が延びる方向と、前記第２かしめ部から前記第２長孔部が延びる方向とが同じ向きである、または、
前記第１長孔部が延びる方向と、前記第２長孔部が延びる方向とが平行であり、前記第１かしめ部から前記第１長孔部が延びる方向と、前記第２かしめ部から前記第２長孔部が延びる方向とが同じ向きであり、
前記第２直線と、前記第３かしめ部を通り、前記第３長孔部が延びる方向に垂直な第３直線とが交差し、交点を中心とする周方向において、前記第２かしめ部から前記第２長孔部が延びる方向と、前記第３かしめ部から前記第３長孔部が延びる方向とが同じ向きであり、
前記第３直線と、前記第１直線とが交差し、交点を中心とする周方向において、前記第３かしめ部から前記第３長孔部が延びる方向と、前記第１かしめ部から前記第１長孔部が延びる方向とが同じ向きであり、
前記第２直線と前記第３直線との交点が、前記第３直線と前記第１直線との交点から離れている、請求項３に記載のモータユニット。
【請求項９】
接着、ねじ留めまたはリベット留めにより前記回路基板を前記板部上に固定する他の固定部をさらに備える、請求項１ないし８のいずれかに記載のモータユニット。
【請求項１０】
前記非接触部が、前記かしめ部の中央を中心とする１８０度未満の範囲に存在する、請求項１または２に記載のモータユニット。
【請求項１１】
前記孔部の前記エッジが、前記かしめ部の前記上部により下方へと押圧される他の接触部と、前記上部と非接触である他の非接触部と、をさらに有する、請求項１または２に記載のモータユニット。
【請求項１２】
前記モータ部が、ディスクを回転する、請求項１ないし１１のいずれかに記載のモータユニット。
【請求項１３】
請求項１２に記載のモータユニットと、
前記ディスクを前記モータ部上に着脱自在に固定する固定機構と、
前記ディスクに対して情報の読み出しおよび／または書き込みを行うアクセス部と、
前記モータユニットを収容するハウジングと、
を備える、ディスク駆動装置。
【発明の詳細な説明】
【技術分野】
【０００１】
本発明は、ディスク駆動装置等に用いられるモータユニットに関する。
【背景技術】
【０００２】
ＤＶＤ（digital versatile disc）やブルーレイディスクに対して情報の読み出しおよび書き込みを行うディスク駆動装置は、取付板上にモータや回路基板が取り付けられたモータユニットを備える。特開２００２−２６２５４０号公報では、プリント基板が両面テープにて取付ベース部上に接着される技術が開示されている。
【特許文献１】特開２００２−２６２５４０号公報
【発明の概要】
【発明が解決しようとする課題】
【０００３】
ノート型のパーソナルコンピュータやカーナビゲーションシステムに搭載されるディス駆動装置では、小型化および薄型化が要求される。このため、モータユニットにも小型化および薄型化が求められる。ところが、回路基板に電子部品をリフローにて半田付けする際に、コネクタ等の電子部品と回路基板との線膨張係数が異なるため、熱の影響により回路基板が僅かに反る。回路基板が反ると、ディスク駆動装置の筐体と回路基板とが干渉する虞が生じる。
【０００４】
このため、回路基板を取付板に両面テープにて固定する場合、回路基板を取付板に接着した後に、再度、回路基板の様々な箇所を取付板へと押しつけて回路基板の反りを矯正する作業が必要となる。その結果、作業工数が増加してしまう。
【０００５】
リフロー半田付け工程に伴う回路基板の反りは、取付板に形成されたバーリング部を回路基板の貫通孔に挿入してかしめ固定することによりある程度矯正することが可能である。しかし、このようなかしめ固定では回路基板の貫通孔の内周面の縁が取付板に向かって強く押圧されるため、回路基板に新たな反りが発生し、回路基板の他の部位が取付板から離間する虞がある。
【０００６】
本発明は、取付板に形成されたバーリング部により回路基板を取付板にかしめ固定する際に、回路基板に生じる反りを低減することを目的としている。
【課題を解決するための手段】
【０００７】
本発明の例示的なモータユニットは、モータ部と、前記モータ部が取り付けられる取付板と、前記取付板上に固定される回路基板と、を備え、前記回路基板が、孔部を有し、前記取付板が、板部と、前記板部から上方へと突出して前記孔部に挿入されるかしめ部と、を備え、前記かしめ部が、前記板部から上方へと突出する筒状部の上部を径方向外方へと押し広げたものであり、前記孔部のエッジが、前記上部により下方へと押圧される接触部と、前記上部と非接触である非接触部と、を有する。
【発明の効果】
【０００８】
本発明によれば、回路基板の孔部の非接触部よりも外側の部位において、かしめによる回路基板の反りを低減することができる。
【図面の簡単な説明】
【０００９】
【図１】図１は、ディスク駆動装置を示す図である。
【図２】図２は、モータユニットの平面図である。
【図３】図３は、回路基板の平面図である。
【図４】図４は、長孔部を拡大して示す図である。
【図５】図５は、回路基板および取付板の断面図である。
【図６】図６は、回路基板および取付板の断面図である。
【図７】図７は、長孔部およびかしめ部を拡大して示す平面図である。
【図８】図８は、長孔部およびかしめ部の斜視図である。
【図９】図９は、取付途上のかしめ部を示す斜視図である。
【図１０】図１０は、回路基板上の孔部の組み合わせを示す図である。
【図１１】図１１は、孔部の組み合わせの他の例を示す図である。
【図１２】図１２は、孔部の組み合わせのさらに他の例を示す図である。
【図１３】図１３は、孔部の組み合わせのさらに他の例を示す図である。
【図１４】図１４は、孔部の組み合わせのさらに他の例を示す図である。
【図１５】図１５は、円形孔部および長孔部の配置を示す図である。
【図１６】図１６は、他の例に係るモータユニットを示す図である。
【図１７】図１７は、孔部の他の例を示す図である。
【図１８】図１８は、孔部のさらに他の例を示す図である。
【発明を実施するための形態】
【００１０】
本明細書では、回路基板のモータ部が位置する側を単に「上側」と呼び、反対側を単に「下側」と呼ぶ。なお、上下方向は、実際の機器に組み込まれたときの位置関係や方向を示すものではない。
【００１１】
図１は、本発明の例示的な一の実施形態に係るモータユニットを備える、ディスク駆動装置１０の断面図である。ディスク駆動装置１０は、モータユニット１１と、アクセス部１２と、これらを内部に収容する箱状のハウジング１３と、を備える。図１では、ディスク９を二点鎖線にて示している。モータユニット１１は、モータ部１１１と、取付板１１２と、回路基板１１３と、を備える。モータ部１１１は、高さが数ｍｍから十数ｍｍのスリム型である。モータ部１１１では、上部のチャッキング装置１４がディスク９の中央孔９１に嵌り合い、チャッキング装置１４によりディスク９が固定される。アクセス部１２は、ヘッド１２１と、ヘッド移動機構１２２とを備える。ヘッド１２１は、ディスク９に対する情報の読み出しおよび／または書き込みを行う光ピックアップ機構である。ディスク９として、例えば、ブルーレイディスクが利用される。他の種類の光ディスクが利用されてもよい。
【００１２】
ヘッド移動機構１２２は、ヘッド１２１をモータ部１１１およびディスク９に対して移動する。ヘッド１２１は、光出射部と、受光部とを有する。光出射部は、ディスク９の下面に向けてレーザ光を出射する。受光部は、ディスク９からの反射光を受光する。ハウジング１３は、ディスク駆動装置１０内へのディスク９の取り付けおよび取り出し時に開閉する蓋部１３１を上部に有する。ディスク駆動装置１０では、モータ部１１１によりディスク９が回転され、ヘッド移動機構１２２がヘッド１２１を所要の位置へと移動させて、ディスク９に対する情報の読み出しおよび／または書き込みが行われる。
【００１３】
図２は、モータユニット１１の平面図である。モータユニット１１では、取付板１１２上に、モータ部１１１および回路基板１１３が取り付けられる。図２に示すように、チャッキング装置１４は、周方向に複数の爪部材１４１を有する。爪部材１４１は径方向にスライド可能であり、径方向外方へと付勢される。ディスク９がチャッキング装置１４に固定される際には、爪部材１４１が一端径方向内方へと移動して中央孔９１のエッジ上に乗り上げる。これにより、中央孔９１の周囲の部位が、径方向外方かつ下方へと押される。
【００１４】
回路基板１１３は、後述するように、取付板１１２上にかしめにて固定される。回路基板１１３には、コネクタ部１１４が設けられる。コネクタ部１１４は、ケーブルを介してディスク駆動装置１０内の他の部位と接続される。コネクタ部１１４は、多数の端子ピンを有し、端子ピンは、リフロー工程により回路基板１１３に半田付けされている。なお、実際には、センサ、スイッチ等の他の電子部品も回路基板１１３上に実装される。モータ部１１１は、コネクタ部１１４に入力される信号に基づいて回路基板１１３により駆動制御される。
【００１５】
図３は、回路基板１１３の平面図である。回路基板１１３は、複数の円形孔部２１と、複数の長孔部２２と、を備える。図４は、図３の右上の長孔部２２を拡大して示す図である。図４では、回路基板１１３の上面を平行斜線にて示している。以下の他の図においても同様である。図４の長孔部２２は、図３における上下方向に延びる。長孔部２２のエッジ５１は、２つの半円部５１１と、２つの直線部５１２と、を備える。２つの半円部５１１の径は同じである。２つの半円部５１１は、長孔部２２の延びる方向（以下、「長手方向」という。）において長孔部２２の両端に位置し、外側に向かって凸となる。２つの直線部５１２は、互いに平行であり、２つの半円部５１１の端部を結ぶ。
【００１６】
図２に示すように取付板１１２は、板部１１２ａと、略円筒状の複数のかしめ部４と、かしめ部４とは異なる形状のかしめ部１１２ｂと、を備える。かしめ部４は、板部１１２ａから上方へと突出し、図３の円形孔部２１および長孔部２２に挿入される。かしめ部１１２ｂは、取付板１１２の外縁部に位置し、取付板１１２の一部を内側に向かって塑性変形させることにより形成される。
【００１７】
図５は、図２の右下のかしめ部４近傍における取付板１１２および回路基板１１３の縦断面図である。取付板１１２と回路基板１１３との間には、薄い絶縁シート１１６が設けられる。かしめ部４は、かしめ部４の中心軸Ｃ１を中心とする径方向外方に広がる上部４１１を有する。上部４１１は、円形孔部２１のエッジ５３の上端を全周に亘って下方および中心軸Ｃ１を中心とする径方向外方に向けて押圧する。回路基板１１３の取付板１１２への固定時には、図６に示すように、板部１１２ａから中心軸Ｃ１に平行に上方へと突出する円筒部４９が、バーリング加工によるバーリング部として予め形成されている。円筒部４９は円形孔部２１に挿入される。そして、所定の治具が円筒部４９に上方から挿入され、上部４１１が径方向外方に向けて押し広げられる。
【００１８】
図７は、図２の右上の長孔部２２およびかしめ部４を拡大して示す平面図である。かしめ部４は、図５に示す円形孔部２１に挿入されるかしめ部４と同形状である。図７では、かしめ部４の上部４１１と長孔部２２のエッジ５１とが接する範囲を太い実線にて示している。図８は、かしめ部４および長孔部２２の斜視図である。かしめ部４は、長孔部２２の長手方向における一方の端部５２に位置する。以下、当該端部５２を「かしめ位置端部５２」という。
【００１９】
かしめ部４の上部４１１と長孔部２２のエッジ５１との接触範囲は、かしめ部４の中心軸Ｃ２を中心としておよそ１８０度である。かしめ部４の上部４１１の一部は、かしめ位置端部５２に位置する半円部５１１を下方、かつ、かしめ部４の中心軸Ｃ２を中心とする径方向外方に向かって押圧する。以下、かしめ位置端部５２側の半円部５１１を「接触部５１１」と呼ぶ。長孔部２２では、かしめ位置端部５２とは反対側の半円部５１１および２つの直線部５１２が、かしめ部４と非接触である。以下、かしめ位置端部５２とは反対側の半円部５１１および２つの直線部５１２をまとめて「非接触部５１３」と呼ぶ。
【００２０】
回路基板１１３の取付板１１２への固定時には、図９に示すように、中心軸Ｃ２に平行に伸びる円筒部４９が長孔部２２のかしめ位置端部５２側に挿入される。円筒部４９には治具が挿入され、上部４１１が、径方向外方に向けて塑性変形される。
【００２１】
以下の説明では、図２における右上の長孔部２２を左上の長孔部２２と区別するときは、「右長孔部２２」という。また、左上の長孔部２２を「左長孔部２２」という。
【００２２】
モータユニット１１では、回路基板１１３がかしめ部４により取付板１１２に対して固定されることから、回路基板１１３の全面を取付板１１２に押さえつけながら両面テープを用いて接着する手法に比べて取付板１１２への固定作業を短時間にて行うことができる。また、モータユニット１１では、かしめ部４により回路基板１１３の長孔部２２の周囲の一部と円形孔部２１の周囲の部位が取付板１１２へと押圧されるため、これらの部位の間において回路基板１１３が取付板１１２から大きく離間することが防止される。特に、反りが大きいコネクタ部１１４近傍の部位は、３つのかしめ部４により強固に固定される。
【００２３】
ところで、円形孔部のみを有する回路基板では、かしめ部と回路基板の外縁部との間の部位に接着剤等の他の固定部が存在しない場合には、かしめ部による下方への押圧（正確には、少なくとも下方に向かう成分を有する押圧）により、当該部位が反る、すなわち、取付板に対して上方に離間してしまう。回路基板１１３では、右長孔部２２の図２における上側の部位が非接触部５１３であることから、図２における右長孔部２２の上側の部位が、かしめ部４の押圧により反ってしまうことが防止される。同様に、左長孔部２２の図２における左側の部位が非接触部５１３であることから、左長孔部２２の左側の部位が、かしめ部４により反ってしまうことが防止される。
【００２４】
次に、取付板１１２に平行な面内における回路基板１１３の位置および向きを固定する手法について説明する。図１０は、回路基板１１３上の孔部の組み合わせを例示する図である。回路基板１１３は、１つの長孔部２２および１つの円形孔部２１を備える。長孔部２２は、図４に示す長孔部２２と同形状である。ただし、長孔部２２の延びる方向は異なる。円形孔部２１および長孔部２２に挿入されるかしめ部４は、図５および図８に示すかしめ部４と同形状である。以下の他の図においても同様である。
【００２５】
図１０中に二点鎖線にて示すように、長孔部２２の長手方向に垂直、かつ、長孔部２２内のかしめ部４の中央を通る直線８１から円形孔部２１および円形孔部２１内のかしめ部４が離れて存在する。換言すれば、長孔部２２は、その内側に位置するかしめ部４から他のかしめ部４に向かう方向に対して垂直な方向とは異なる方向に延びる。回路基板１１３では、円形孔部２１のエッジ５３が、かしめ部４と全周に亘って接触することから、取付板１１２に平行な面内において回路基板１１３は平行移動できない。すなわち、向きが固定された状態で移動することができない。
【００２６】
ところで、長孔部２２には非接触部５１３が設けられるため、円形孔部２１が存在しない場合、直線８１上の任意の位置を中心として回路基板１１３が僅かに回転する虞がある。しかし、回路基板１１３では、直線８１から離れた位置に円形孔部２１が設けられることにより、直線８１上の任意の位置を中心とする回路基板１１３の回転が防止される。その結果、１つの円形孔部２１と１つの長孔部２２とにより、回路基板１１３の位置および向きが容易に固定される。
【００２７】
回路基板１１３では、加工誤差を考慮して、図１０に示す円形孔部２１が、長孔部２２内のかしめ部４を中心として、直線８１の両側に±１０度の範囲で広がる領域から離れて存在することが好ましい。より好ましくは、円形孔部２１は、直線８１から±３０度の範囲で広がる領域から離れて設けられる。換言すれば、長孔部２２がかしめ部４から延びる方向が、長孔部２２のかしめ部４と円形孔部２１のかしめ部４とを結ぶ方向に対して、３０度以下、または、１５０度以上１８０度以下異なる。これにより、回路基板１１３のがたつきがより確実に防止される。
【００２８】
図１１は、回路基板１１３上における孔部の組み合わせの他の例を示す図である。回路基板１１３は、第１長孔部２２ａおよび第２長孔部２２ｂを備える。第１長孔部２２ａの延びる方向と第２長孔部２２ｂの延びる方向とは互いに異なる。第１長孔部２２ａでは、長手方向において第２長孔部２２ｂに近い端部、すなわち、両端部のうち近い方の端部に第１かしめ部４ａが位置する。したがって、第１長孔部２２ａのエッジ５１のうち当該端部近傍の部位が接触部５１１であり、他の部位が非接触部５１３である。同様に、第２長孔部２２ｂでは、長手方向において第１長孔部２２ａに近い端部に第２かしめ部４ｂが位置する。すなわち、第２長孔部２２ｂのエッジ５１のうち当該端部近傍の部位が接触部５１１であり、他の部位が非接触部５１３である。
【００２９】
第１長孔部２２ａのみが存在する場合、回路基板１１３は、非接触部５１３から第１かしめ部４ａに向かう方向にのみ平行移動が可能となる。第２長孔部２２ｂのみが存在する場合は、回路基板１１３は、非接触部５１３から第２かしめ部４ｂに向かう方向にのみ平行移動が可能となる。ところが、第１長孔部２２ａの延びる方向と第２長孔部２２ｂの延びる方向とが異なるため、回路基板１１３は、取付板１１２に平行な面内の任意の方向において平行移動できない。
【００３０】
また、第１長孔部２２ａのみが存在する場合、回路基板１１３は、第１かしめ部４ａを通り、かつ、第１長孔部２２ａの延びる方向に垂直な直線（以下、「第１直線８２１」と呼ぶ。）上の任意の位置を中心とする周方向において回転する虞がある。第２長孔部２２ｂのみが存在する場合は、回路基板１１３は、第２かしめ部４ｂを通り、かつ、第２長孔部２２ｂの延びる方向に垂直な直線（以下、「第２直線８２２」と呼ぶ。）上の任意の位置を中心とする周方向において回転する虞がある。
【００３１】
したがって、第１直線８２１と第２直線８２２との交点７１を回転中心として、回路基板１１３は回転する可能性が考えられる。しかし、第１長孔部２２ａおよび第２長孔部２２ｂでは、交点７１を中心とする周方向において、第１かしめ部４ａから第１長孔部２２ａが延びる方向と、第２かしめ部４ｂから第２長孔部２２ｂが延びる方向とが逆向きである。その結果、交点７１を中心として回路基板１１３は回転することはない。すなわち、第１かしめ部４ａおよび第２かしめ部４ｂにより、回路基板１１３の回転が防止される。以上のように、回路基板１１３では、２つの長孔部により回路基板１１３の位置および向きが容易に固定される。
【００３２】
回路基板１１３では、好ましくは、第１かしめ部４ａを中心として、第１直線８２１の両側に±１０度の範囲で広がる領域と、第２かしめ部４ｂを中心として、第２直線８２２の両側に±１０度の範囲で広がる領域とが重なる領域内の任意の位置を中心とする周方向において、第１かしめ部４ａから第１長孔部２２ａが延びる方向と、第２かしめ部４ｂから第２長孔部２２ｂが延びる方向とが逆向きとされる。より好ましくは、両直線８２１，８２２の両側に±３０度の範囲で広がる領域が重なる領域内の任意の位置を中心とする周方向において、両かしめ部から長孔部が延びる方向が逆向きとされる。これにより、取付板１１２に対する回路基板１１３のがたつきがより確実に防止される。
【００３３】
回路基板１１３では、第１長孔部２２ａの第２長孔部２２ｂから遠い端部、すなわち、両端部のうち遠い方の端部に、第１かしめ部４ａが位置し、第２長孔部２２ｂの第１長孔部２２ａから遠い端部に第２かしめ部４ｂが位置してもよい。この場合であっても、回路基板１１３の位置および向きを固定することができる。
【００３４】
図１２は、孔部の組み合わせのさらに他の例を示す図である。図１２に示す回路基板１１３では、第１長孔部２２ａおよび第２長孔部２２ｂが互いに平行に延びる。以下の説明では、図１１と同様の構成に同符号を付す。第１長孔部２２ａでは、長手方向において第２長孔部２２ｂに近い端部に、第１かしめ部４ａが位置する。第２長孔部２２ｂでは、長手方向において第１長孔部２２ａに近い端部に第２かしめ部４ｂが位置する。
【００３５】
回路基板１１３では、第１かしめ部４ａから第１長孔部２２ａが延びる方向と、第２かしめ部４ｂから第２長孔部２２ｂが延びる方向とが、逆向きであるため、第１長孔部２２ａのみが存在する場合に回路基板１１３が平行移動可能な方向と、第２長孔部２２ｂのみが存在する場合に回路基板１１３が平行移動可能な方向とが異なる。これにより、取付板１１２に平行な面内の任意の方向における回路基板１１３の平行移動が防止される。
【００３６】
回路基板１１３では、第１かしめ部４ａを通り、かつ、第１長孔部２２ａに垂直な第１直線８２１と、第２かしめ部４ｂを通り、かつ、第２長孔部２２ｂに垂直な第２直線８２２とが、互いに平行かつ離間している。既述のように、第１のかしめ部４ａのみが存在する場合、回路基板１１３は第１直線８２１上の任意の位置を中心として回転する虞があり、第２のかしめ部４ｂのみが存在する場合、回路基板１１３は第２直線８２２上の任意の位置を中心として回転する虞がある。しかし、回路基板１１３では、第１直線８２１と第２直線８２２とが離れているため、回路基板１１３の回転が防止される。
【００３７】
図１２に示す場合においても、２つの長孔部２２により回路基板１１３の位置および向きが容易に固定される。回路基板１１３では、第１長孔部２２ａの第２長孔部２２ｂから遠い端部に第１かしめ部４ａが位置し、第２長孔部２２ｂの第１長孔部２２ａから遠い端部に第２かしめ部４ｂが位置してもよい。
【００３８】
回路基板１１３では、好ましくは、第１かしめ部４ａを中心として、第１直線８２１の両側に±１０度の範囲で広がる領域と、第２かしめ部４ｂを中心として、第２直線８２２の両側に±１０度の範囲で広がる領域とが重なる領域内の任意の位置を中心とする周方向において、第１かしめ部４ａから第１長孔部２２ａが延びる方向と、第２かしめ部４ｂから第２長孔部２２ｂが延びる方向とが逆向きとされる。より好ましくは、両直線８２１，８２２の両側に±３０度の範囲で広がる領域が重なる領域内の任意の位置を中心とする周方向において、両かしめ部から長孔部が延びる方向が逆向きとされる。これにより、取付板１１２に対する回路基板１１３のがたつきがより確実に防止される。
【００３９】
図１３は、孔部の組み合わせのさらに他の例を示す図である。回路基板１１３は、３つの長孔部２２を備える。以下、図１３における右上の長孔部から反時計回りに「第１長孔部２２ａ」、「第２長孔部２２ｂ」、「第３長孔部２２ｃ」と呼ぶ。また、第１ないし第３長孔部２２ａ〜２２ｃに挿入される３つのかしめ部４を「第１かしめ部４ａ」、「第２かしめ部４ｂ」、「第３かしめ部４ｃ」と呼ぶ。
【００４０】
第１ないし第３長孔部２２ａ〜２２ｃの延びる方向は互いに異なり、回路基板１１３は取付板１１２に対して平行移動できない。第１長孔部２２ａでは、長手方向において第２長孔部２２ｂに近い端部に第１かしめ部４ａが位置する。第２長孔部２２ｂでは、第３長孔部２２ｃに近い端部に第２かしめ部４ｂが位置する。第３長孔部２２ｃでは、第１長孔部２２ａに近い端部に第３かしめ部４ｃが位置する。
【００４１】
回路基板１１３では、第１かしめ部４ａを通り、第１長孔部２２ａの延びる方向に垂直な第１直線８２１と、第２かしめ部４ｂを通り、第２長孔部２２ｂの延びる方向に垂直な第２直線８２２とが交差する。第１直線８２１と第２直線８２２との第１交点７１を中心とする周方向において、第１かしめ部４ａから第１長孔部２２ａが延びる方向と、第２かしめ部４ｂから第２長孔部２２ｂが延びる方向とが同じ向きである。すなわち、第１長孔部２２ａおよび第２長孔部２２ｂのみが存在する場合、回路基板１１３は、第１交点７１を中心として回転する虞がある。
【００４２】
また、第２直線８２２と、第３かしめ部４ｃを通り、第３長孔部２２ｃが延びる方向に垂直な第３直線８２３とが交差する。第２直線８２２と第３直線８２３との第２交点７２を中心とする周方向において、第２かしめ部４ｂから第２長孔部２２ｂが延びる方向と、第３かしめ部４ｃから第３長孔部２２ｃが延びる方向とが同じ向きである。すなわち、第２長孔部２２ｂおよび第３長孔部２２ｃのみが存在する場合、回路基板１１３は、第２交点７２を中心として回転する虞がある。
【００４３】
さらに、第３直線８２３と、第１直線８２１とが交差し、第３直線８２３と第１直線８２１との第３交点７３を中心とする周方向において、第３かしめ部４ｃから第３長孔部２２ｃが延びる方向と、第１かしめ部４ａから第１長孔部２２ａが延びる方向とが同じ向きである。すなわち、第３長孔部２２ｃおよび第１長孔部２２ａのみが存在する場合、回路基板１１３は、第３交点７３を中心として回転する虞がある。
【００４４】
しかし、回路基板１１３では、第１ないし第３交点７１〜７３が互いに離れて存在するため、第１長孔部２２ａ、第２長孔部２２ｂおよび第３長孔部２２ｃの全てを回転可能とする回転中心が存在しない。このように、いずれの２つの長孔部２２によっても回路基板１１３を固定できない場合であっても、３つの長孔部２２により回路基板１１３の位置および向きが固定される。
【００４５】
回路基板１１３では、好ましくは、第１かしめ部４ａを中心として第１直線８２１の両側に±１０度の範囲で広がる領域、第２かしめ部４ｂを中心として第２直線８２２の両側に±１０度の範囲で広がる領域、および、第３かしめ部４ｃを中心として第３直線８２３の両側に±１０度の範囲で広がる領域とが重なる領域よりも外側に、第１ないし第３交点７１〜７３の少なくとも１つが存在する。より好ましくは、３つの直線８２１〜８２３の両側に±３０度の範囲で広がる領域が重なる領域よりも外側に第１ないし第３交点７１〜７３の少なくとも１つが存在する。これにより、取付板１１２に対する回路基板１１３のがたつきがより確実に防止される。
【００４６】
図１４は、孔部の組み合わせのさらに他の例を示す図である。回路基板１１３では、図１４における右側の第１長孔部２２ａおよび中央の第２長孔部２２ｂが互いに平行に延びる。第１かしめ部４ａから第１長孔部２２ａが延びる方向は、第２かしめ部４ｂから第２長孔部２２ｂが延びる方向と同じである。また、左側の第３長孔部２２ｃの延びる方向は、第１および第２長孔部２２ａ，２２ｂの延びる方向と異なる。
【００４７】
回路基板１１３では、第２かしめ部４ｂを通り、第２長孔部２２ｂに垂直な第２直線８２２と、第３かしめ部４ｃを通り、第３長孔部２２ｃに垂直な第３直線８２３とが交差する。第２直線８２２と第３直線８２３との第２交点７２を中心とする周方向において、第２かしめ部４ｂから第２長孔部２２ｂが延びる方向と、第３かしめ部４ｃから第３長孔部２２ｃが延びる方向とが同じ向きである。すなわち、第２長孔部２２ｂおよび第３長孔部２２ｃのみが存在する場合、回路基板１１３は、第２交点７２を中心として回転する虞がある。
【００４８】
さらに、第３直線８２３と、第１かしめ部４ａを通り、第１長孔部２２ａに垂直な第１直線８２１とが交差し、第３直線８２３と第１直線８２１との第３交点７３を中心とする周方向において、第３かしめ部４ｃから第３長孔部２２ｃが延びる方向と、第１かしめ部４ａから第１長孔部２２ａが延びる方向とが同じ向きである。すなわち、第３長孔部２２ｃおよび第１長孔部２２ａのみが存在する場合、回路基板１１３は、第３交点７３を中心として回転する虞がある。
【００４９】
しかし、第２交点７２および第３交点７３が互いに離れて存在するため、第１長孔部２２ａ、第２長孔部２２ｂおよび第３長孔部２２ｃの全てを回転可能とする回転中心が存在しない。その結果、３つの長孔部２２により回路基板１１３の位置および向きが固定される。
【００５０】
回路基板１１３では、好ましくは、図１３と同様に、第１かしめ部４ａを中心として第１直線８２１の両側に±１０度（より好ましくは±３０度）の範囲で広がる領域、第２かしめ部４ｂを中心として第２直線８２２の両側に±１０度（より好ましくは±３０度）の範囲で広がる領域、および、第３かしめ部４ｃを中心として第３直線８２３の両側に±１０度の範囲で広がる領域とが重なる領域よりも外側に、第２および第３交点７２，７３の少なくとも１つが存在する。これにより、回路基板１１３のがたつきがより確実に防止される。
【００５１】
図１５は、図２に示すモータユニット１１の円形孔部２１および長孔部２２の配置を示す図であり、円形孔部２１および長孔部２２内のかしめ部４も示している。図１５では、図示の都合上、孔部間の距離を図２よりも短く示し、モータ部１１１等の回路基板１１３上の他の部材の図示を省略している。回路基板１１３では、図１５における右側の右長孔部２２の長手方向に垂直、かつ、右長孔部２２内のかしめ部４を通る直線８４１から、３つの円形孔部２１が離れて存在する。同様に、左長孔部２２の長手方向に垂直、かつ、左長孔部２２内のかしめ部４を通る直線８４２からも３つの円形孔部２１が離れて存在する。回路基板１１３では、右長孔部２２と各円形孔部２１との間、および、左長孔部２２と各円形孔部２１との間に図１０に示す固定パターンと同様の関係が成立する。これにより、回路基板１１３の位置および向きが確実に固定される。
【００５２】
以上、モータユニット１１について説明したが、回路基板１１３では、非接触部５１３が設けられることにより、非接触部５１３よりも外側の部位において、かしめによる回路基板１１３の反りを低減することができる。回路基板１１３の反りが低減されることにより、モータ部１１１に対してホール素子や他のセンサ、スイッチ等の電子部品が精度よく配置され、モータ部１１１の動作の信頼性が向上する。また、電子部品とディスク駆動装置１０内の他の部材との干渉も防止される。
【００５３】
回路基板１１３では、長孔部２２が形成されることにより、非接触部５１３を容易に設けることができる。かしめ部４から長孔部２２が延びる方向が、当該かしめ部４と他のかしめ部４とを結ぶ方向と異なることにより、回路基板１１３の外縁部１１３ａにおける反りを効率よく低減することができる。
【００５４】
モータユニット１１では、ねじ留めまたはリベット留めの少なくとも一方が、かしめ固定と併用されて回路基板１１３が取付板１１２に固定されてもよい。これにより、回路基板１１３をより確実に固定することができる。また、回路基板１１３の一部が、接着剤や両面テープを利用して取付板１１２に接着されてもよい。かしめ固定および接着が併用されることにより、回路基板１１３の全面を取付板１１２に接着する手法に比べて作業の煩雑さを低減することができる。回路基板１１３では、長孔部２２が設けられる場合、長孔部２２内のかしめ部４から接着箇所へと向かう方向と、かしめ部４から長孔部２２の延びる方向とが異なることにより、回路基板１１３の反りを低減することができる。ねじ留めおよびリベット留めが行われる場合においても同様である。
【００５５】
図１６は、他の例に係るモータユニット１１を示す図である。モータユニット１１の取付板１１５は、図２の取付板１１２から、図１６において符号８９を付す破線にて示す位置よりも右側の部位が省かれたものとなっている。すなわち、回路基板１１３は、右側へと取付板１１５に平行な方向に取付板１１５から突出する突出部１１３ｂを備える。突出部１１３ｂと取付板１１５との境界８９の左側には、突出部１１３ｂに向かって延びる長孔部２２が設けられる。左右方向において回路基板１１３のおよそ中央に位置するこの長孔部２２を、以下、「中央長孔部２２」という。
【００５６】
さらに、図１６における左上には、図２と同様に左長孔部２２が設けられ、コネクタ部１１４の左側には、円形孔部２１が設けられる。回路基板１１３は、中央長孔部２２、左長孔部２２および円形孔部２１に挿入されるかしめ部４により、取付板１１５に固定される。左長孔部２２および中央長孔部２２の延びる方向は互いに平行である。取付板１１５および回路基板１１３の他の構造は、図２における取付板１１２および回路基板１１３と同様である。
【００５７】
中央長孔部２２では、境界８９から遠い方の端部にかしめ部４が位置する。また、かしめ部４の突出部１１３ｂ側に非接触部５１３が設けられる。モータユニット１１では、かしめ部４により回路基板１１３の境界８９近傍の部位が下方に押圧されないため、かしめ部４の押圧による突出部１１３ｂの上方への反りを低減することができる。回路基板１１３では、中央長孔部２２と突出部１１３ｂとの間に接着剤等の他の固定部を設けることが不要であるため、回路基板１１３の取付が容易に行われる。
【００５８】
長孔部２２が設けられることにより、回路基板１１３上のかしめ固定を回路基板１１３の外縁部１１３ａから大きく離れた位置にて行うことができ、その結果、かしめ固定を利用したモータユニット１１の設計の自由度を向上することができる。
【００５９】
回路基板１１３では、中央長孔部２２の長手方向に垂直、かつ、中央長孔部２２内のかしめ部４を通る直線８４３から、円形孔部２１が離れて存在する。同様に、左長孔部２２の長手方向に垂直、かつ、左長孔部２２内のかしめ部４を通る直線８４４から、円形孔部２１が離れて存在する。すなわち、左長孔部２２および中央長孔部２２と円形孔部２１との間に図１０と同様の固定パターンが成立する。
【００６０】
また、中央長孔部２２内のかしめ部４から中央長孔部２２が延びる方向と、左長孔部２２内のかしめ部４から左長孔部２２が延びる方向とが逆向きであり、直線８４３，８４４が互いに平行かつ離間している。すなわち、左長孔部２２と中央長孔部２２との間には、図１２と同様の固定パターンが成立する。その結果、中央長孔部２２、左長孔部２２および円形孔部２１により取付板１１５に対する回路基板１１３の位置および向きが確実に固定される。
【００６１】
図１７は、回路基板１１３の孔部の他の例を示す図である。孔部２３のエッジ２３１は、２つの円弧状の接触部２３２と、２つのスリット状または切欠状の非接触部２３３と、を備える。２つの接触部２３２は、孔部２３の中心軸Ｃ３を中心とする同一径の円の一部である。非接触部２３３は、２つの接触部２３２の間から中心軸Ｃ３を中心とする径方向外方へと窪む。中心軸Ｃ３を中心として２つの接触部２３２が存在する範囲はそれぞれ、およそ１５０度である。２つの非接触部２３３はそれぞれ、中心軸Ｃ３を中心としておよそ３０度の範囲に存在する。
【００６２】
孔部２３では、２つの非接触部２３３が設けられることにより、図１７の左右方向において、かしめ部４の押圧による回路基板１１３の反りが低減される。また、各非接触部２３３が中心軸Ｃ３を中心として１８０度未満の範囲に存在することにより、１つの孔部２３にて回路基板１１３の平行移動が防止される。したがって、２以上の孔部２３が設けられることにより、回路基板１１３が取付板に固定可能となる。また、孔部２３と図５の円形孔部２１とが組み合わされてもよい。さらに、孔部２３と図７の長孔部２２とが組み合わされてもよい。
【００６３】
図１８は、孔部のさらに他の例を示す図である。孔部２４のエッジ２４１は、円弧状の１つの接触部２４２と、孔部２４の中心軸Ｃ４を中心とする径方向外方に窪む１つの非接触部２４３と、を備える。中心軸Ｃ４を中心とする接触部２４２の存在範囲は、およそ３００度である。中心軸Ｃ４を中心とする非接触部２４３の存在範囲は１８０度未満であるため、かしめ部４が孔部２４内を移動することはない。孔部２４では、非接触部２４３が１つのみであるため、回路基板１１３を強固に固定することができる。
【００６４】
以上、本発明の実施形態について説明したが、本発明は、上記実施形態に限定されるものではなく、様々な変更が可能である。
【００６５】
例えば、回路基板１１３には、図１０ないし図１４に示す様々な孔部の組み合わせが多数設けられてよい。もちろん、既述のように、他の固定手法と孔部およびかしめ部４とが併用されてよい。
【００６６】
上記実施形態では、図１７や図１８に示す孔部２３，２４に代えて、３以上の円弧状の接触部および３以上の非接触部を有する孔部が用いられてもよい。かしめ部４は筒状部の上部を径方向外方へと押し広げた形状であれば、かしめ部４の全体または上部の中心軸に垂直な断面は多角形であってもよい。この場合、上記実施形態における接触部は、孔部とかしめ部４とが厳密な意味で接触している部位である必要はなく、複数箇所で強く接触しており、他の箇所で近接または軽く接触している範囲を指す。また、筒状部の上部の一部のみが押し広げられてもよい。
【００６７】
上記実施形態にて説明した取付板に回路基板を固定する構造は、モータ部によりポリゴンミラーを回転したり、モータ部により他の部品を回転する装置にも利用可能である。
【産業上の利用可能性】
【００６８】
本発明は、パーソナルコンピュータ、カーナビゲーションシステム、音響・映像機器等の様々な電子機器におけるディスク駆動装置用のモータユニットにおいて利用可能であり、さらには、取付板上に回路基板およびモータ部が設けられる他の装置のモータユニットにおいても利用可能である。
【符号の説明】
【００６９】
４，４ａ〜４ｂ    かしめ部
９    ディスク
１０    ディスク駆動装置
１１    モータユニット
１２    アクセス部
１３    ハウジング
２１    円形孔部
２２，２２ａ〜２２ｃ    長孔部
２３，２４    孔部
４９    円筒部
５１    （長孔部の）エッジ
５２    かしめ位置端部
５３    （円形孔部の）エッジ
７１〜７３    交点
８１，８２１〜８２３，８４１〜８４４    直線
１１１    モータ部
１１２，１１５    取付板
１１３    回路基板
１１３ｂ    突出部
１４２    クランパ
２３１，２４１    （孔部の）エッジ
４１１    （かしめ部の）上部
５１１，２３２，２４２    接触部
５１３，２３３，２４３    非接触部
【図１】
2012023796.tif 000003
【図２】
2012023796.tif 000004
【図３】
2012023796.tif 000005
【図４】
2012023796.tif 000006
【図５】
2012023796.tif 000007
【図６】
2012023796.tif 000008
【図７】
2012023796.tif 000009
【図８】
2012023796.tif 000010
【図９】
2012023796.tif 000011
【図１０】
2012023796.tif 000012
【図１１】
2012023796.tif 000013
【図１２】
2012023796.tif 000014
【図１３】
2012023796.tif 000015
【図１４】
2012023796.tif 000016
【図１５】
2012023796.tif 000017
【図１６】
2012023796.tif 000018
【図１７】
2012023796.tif 000019
【図１８】
2012023796.tif 000020